(57)【要約】【課題】電気光学パネルとヒートシンクとの間において、表示領域と重なる全域にわたって放熱グリス等の熱伝導材料を適正に設けることのできる電気光学モジュール、および電子機器を提供すること。【解決手段】電気光学モジュール１００では、ヒートシンク７あるいは電気光学パネル４０に、放熱グリス等の流動性の熱伝導材料６を塗布した後、ヒートシンク７と電気光学パネル４０とを重ねる。その際の熱伝導材料６の塗布量は、ヒートシンク７と電気光学パネル４０との間Ｇ０を埋めるのに必要な量より多くする。過剰な熱伝導材料６は、電気光学パネル４０とヒートシンク７の凸部７２との間Ｇ０から凸部７２の外周面７２０と開口部３５の内周面３５０との隙間Ｇ１を介して、ヒートシンク７に形成した溝状の凹部７３に流れ込む。【選択図】図４
2015197574.tif 000002
【特許請求の範囲】
【請求項１】
表示光を出射する表示領域を一方面の側に備えた電気光学パネルと、
該電気光学パネルを保持し、当該電気光学パネルの他方面を開放状態とする開口部を備
えたホルダーと、
前記電気光学パネルの前記他方面に対向するヒートシンクと、
前記開口部の内側で前記電気光学パネルと前記ヒートシンクとの間を埋める流動性の熱
伝導材料と、
を有し、
前記ヒートシンクおよび前記ホルダーの少なくとも一方には、平面視で前記表示領域と
重なる領域より外側に、前記電気光学パネルと前記ヒートシンクとの間に連通する凹部が
形成されていることを特徴とする電気光学モジュール。
【請求項２】
前記凹部は、前記開口部の縁に沿って延在していることを特徴とする請求項１に記載の
電気光学モジュール。
【請求項３】
前記凹部は、前記開口部の内側で前記電気光学パネルと前記ヒートシンクとが対向して
いる部分を全周にわたって囲んでいることを特徴とする請求項２に記載の電気光学モジュ
ール。
【請求項４】
前記ヒートシンクは、平面視で前記表示領域をより広い面積をもって前記開口部内に突
出して前記電気光学パネルの前記他方面と対向する凸部を備え、
前記凹部は、平面視で前記凸部より外側に設けられていることを特徴とする請求項１乃
至３の何れか一項に記載の電気光学モジュール。
【請求項５】
前記凹部は、前記ヒートシンクにおいて、平面視で前記開口部の縁と重なる位置に溝状
に形成されていることを特徴とする請求項１乃至４の何れか一項に記載の電気光学モジュ
ール。
【請求項６】
前記凹部は、前記ホルダーにおいて、前記ヒートシンク側の面と前記開口部の内周面と
の間に切り欠き状に形成されていることを特徴とする請求項１乃至４の何れか一項に記載
の電気光学モジュール。
【請求項７】
前記ホルダーは、前記ヒートシンクより熱膨張係数が小さいことを特徴とする請求項１
乃至６の何れか一項に記載の電気光学モジュール。
【請求項８】
前記熱伝導材料は、放熱グリスであることを特徴とする請求項１乃至７の何れか一項に
記載の電気光学モジュール。
【請求項９】
前記電気光学パネルは、第１基板と、該第１基板にシール材によって貼り合わされた第
２基板と、前記第１基板と前記第２基板との間のうち、前記シール材によって囲まれた空
間内に設けられた液晶層と、を有し、
前記電気光学パネルの前記他方面は、前記第１基板の前記第２基板側とは反対側の面か
らなることを特徴とする請求項１乃至８の何れか一項に記載の電気光学モジュール。
【請求項１０】
請求項１乃至９の何れか一項に記載の電気光学モジュールを備えた電子機器であって、
前記電気光学パネルに供給される光を出射する光源部と、
前記電気光学パネルによって変調された光を投射する投射光学系と、
を有していることを特徴とする電子機器。
【発明の詳細な説明】
【技術分野】
【０００１】
本発明は、電気光学パネルにヒートシンクが設けられた電気光学モジュール、および該
電気光学モジュールを備えた電子機器に関するものである。
【背景技術】
【０００２】
液晶パネル等の電気光学パネルを電子機器等に搭載するには、電気光学パネルをホルダ
ーによって保持した電気光学モジュールの状態とされる。電気光学モジュールに関しては
、電気光学パネルからの放熱性を高めることを目的に、ホルダーの開口部から電気光学パ
ネルの裏面側を開放状態とし、電気光学パネルの裏面側にヒートシンクを重ねるとともに
、開口部の内側で電気光学パネルとヒートシンクとの間を放熱グリスによって埋めた構成
が提案されている（特許文献１参照）。
【０００３】
また、特許文献１には、ヒートシンクにおいて電気光学パネルと重なる面には、表示領
域と平面視で重なる領域を含む全域にわたって溝を設けることにより、放熱グリスを広が
りやすくすることも提案されている。
【先行技術文献】
【特許文献】
【０００４】
【特許文献１】特開２０１０−２５６６５４号公報
【発明の概要】
【発明が解決しようとする課題】
【０００５】
特許文献１に記載の電気光学モジュールを製造するには、ヒートシンクあるいは電気光
学パネルに放熱グリスを塗布した後、ヒートシンクと電気光学パネルとを重ねる。その際
、放熱グリスの塗布量が少なすぎると、ヒートシンクと電気光学パネルとの間に放熱グリ
スが存在しない領域が発生してしまい、放熱グリスが存在しない領域では、電気光学パネ
ルからの放熱性が低い。その結果、電気光学パネルの面内に温度ばらつきが発生する。か
かる温度ばらつきは、表示性能や信頼性等が低下する原因となるため、好ましくない。
【０００６】
一方、放熱グリスの塗布量が多すぎると、放熱グリスから電気光学パネルに過大な応力
が加わって電気光学パネルが変形するおそれがある。かかる変形は、表示性能が低下する
原因となるため、好ましくない。
【０００７】
なお、特許文献１に記載の技術のように、ヒートシンクに対して、表示領域と重なる領
域を含む全域にわたって溝を設ければ、放熱グリスが広がりやすくなるが、放熱グリスの
塗布量の変動を吸収できる効果はあまり期待できない。逆に、表示領域と重なる領域を含
む全域にわたって溝を設けると、溝が形成された領域と溝が形成されていない領域とでは
、放熱グリスの量が相違することになるため、熱の伝わりやすさが相違することになる。
その結果、電気光学パネルの面内において、溝が形成された領域と溝が形成されていない
領域とにおいて温度差が発生し、かかる温度差によって、画像に表示むらが発生するおそ
れがある。
【０００８】
以上の問題点に鑑みて、本発明では、電気光学パネルとヒートシンクとの間において、
表示領域と重なる全域にわたって放熱グリス等の熱伝導材料を適正に設けることのできる
電気光学モジュール、および当該電気光学モジュールを備えた電子機器を提供することに
ある。
【課題を解決するための手段】
【０００９】
上記課題を解決するために、本発明に係る電気光学モジュールは、表示光を出射する表
示領域を一方面の側に備えた電気光学パネルと、該電気光学パネルを保持し、当該電気光
学パネルの他方面を開放状態とする開口部を備えたホルダーと、前記電気光学パネルの前
記他方面に対向するヒートシンクと、前記開口部の内側で前記電気光学パネルと前記ヒー
トシンクとの間を埋める流動性の熱伝導材料と、を有し、前記ヒートシンクおよび前記ホ
ルダーの少なくとも一方には、平面視で前記表示領域と重なる領域より外側に、前記電気
光学パネルと前記ヒートシンクとの間に連通する凹部が形成されていることを特徴とする
。
【００１０】
本発明では、電気光学パネルとヒートシンクとの間が流動性の熱伝導材料によって埋め
られているため、電気光学パネルから熱伝導材料を介してヒートシンクに熱を効率よく逃
がすことができる。また、電気光学モジュールを製造するには、ヒートシンクあるいは電
気光学パネルに流動性の熱伝導材料を塗布した後、ヒートシンクと電気光学パネルとを重
ねるが、その際の熱伝導材料の塗布量は、ヒートシンクと電気光学パネルとの間を埋める
のに必要な量より多くする。このため、ヒートシンクと電気光学パネルとの間には、熱伝
導材料が存在しない領域が発生しない。また、熱伝導材料をヒートシンクと電気光学パネ
ルとを埋めるのに必要な量より多く塗布しても、過剰な熱伝導材料は、凹部に流れ込む、
このため、ヒートシンクと電気光学パネルとの間は、全域にわたって適正な量の熱伝導材
料で埋められる。従って、熱伝導材料から電気光学パネルに過大な応力が加わって電気光
学パネルが変形するという事態を回避することができる。また、凹部は、表示領域と重な
る領域の外側に設けられているため、表示領域と重なる領域では、凹部の有無による熱伝
導材料の量のばらつきが発生せず、それ故、熱伝導材料の量のばらつきに起因する放熱性
のばらつきが発生しにくい。
【００１１】
本発明において、前記凹部は、前記開口部の縁に沿って延在していることが好ましい。
かかる構成によれば、電気光学パネルとヒートシンクとの間から比較的近い位置に凹部が
存在するので、熱伝導材料の粘度が高い場合でも、過剰な熱伝導材料が凹部にスムーズに
流れ込む。
【００１２】
本発明において、前記凹部は、前記開口部の内側で前記電気光学パネルと前記ヒートシ
ンクとが対向している部分を全周にわたって囲んでいることが好ましい。かかる構成によ
れば、熱伝導材料の粘度が高い場合でも、過剰な熱伝導材料が凹部にスムーズに流れ込む
。
【００１３】
本発明において、前記ヒートシンクは、平面視で前記表示領域をより広い面積をもって
前記開口部内に突出して前記電気光学パネルの前記他方面と対向する凸部を備え、前記凹
部は、平面視で前記凸部より外側に設けられていることが好ましい。かかる構成によれば
、ヒートシンクと電気光学パネルとを接近させることができるので、電気光学パネルから
ヒートシンクに熱を効率よく逃がすことができる。また、凸部に凹部が形成されていない
ので、凸部と電気光学パネルとの間では、凹部の有無に起因してグリスの量が相違する個
所が発生しない。
【００１４】
本発明において、前記凹部は、例えば、前記ヒートシンクにおいて、平面視で前記開口
部の縁と重なる位置に溝状に形成されている構成を採用することができる。
【００１５】
本発明において、前記凹部は、前記ホルダーにおいて、前記ヒートシンク側の面と前記
開口部の内周面との間に切り欠き状に形成されている構成を採用することができる。
【００１６】
本発明において、前記ホルダーは、前記ヒートシンクより熱膨張係数が小さいことが好
ましい。ヒートシンクは、熱膨張係数が大きくても、熱伝達材料を介して接しているため
、温度変化が発生しても、ヒートシンクから電気光学パネルに応力が加わりにくい。また
、ホルダーの熱膨張係数が小さいため、温度変化が発生しても、ホルダーから電気光学パ
ネルに応力が加わりにくい。
【００１７】
本発明において、前記熱伝導材料は、例えば、放熱グリスである。
【００１８】
本発明において、前記電気光学パネルは、例えば、液晶パネルであり、かかる液晶パネ
ルは、第１基板と、該第１基板にシール材によって貼り合わされた第２基板と、前記第１
基板と前記第２基板との間のうち、前記シール材によって囲まれた空間内に設けられた液
晶層と、を有し、前記電気光学パネルの前記他方面は、前記第１基板の前記第２基板側と
は反対側の面からなる。
【００１９】
本発明に係る電気光学モジュールは各種電子機器に用いることができる。また、電子機
器として投射型表示装置を構成した場合、電子機器は、前記電気光学パネルに供給される
光を出射する光源部と、前記電気光学パネルによって変調された光を投射する投射光学系
と、を有している。投射型表示装置の場合、電気光学パネルに強い光が供給される結果、
電気光学モジュールの温度上昇が大きいが、かかる温度変化が発生しても、本発明によれ
ば、電気光学パネルに応力が加わりにくい。
【図面の簡単な説明】
【００２０】
【図１】本発明の実施の形態１に係る電気光学モジュールに用いた電気光学パネルの説明図である。
【図２】本発明の実施の形態１に係る電気光学モジュールの斜視図である。
【図３】本発明の実施の形態１に係る電気光学モジュールの分解斜視図である。
【図４】本発明の実施の形態１に係る電気光学モジュールの断面図である。
【図５】本発明の実施の形態２に係る電気光学モジュールの断面図である。
【図６】本発明の実施の形態２に係る電気光学モジュールに設けた凹部（熱伝導材料の逃げ部）等の説明図である。
【図７】本発明を適用した投射型表示装置（電子機器）の一例の概略構成図である。
【発明を実施するための形態】
【００２１】
図面を参照して、本発明の実施の形態を説明する。なお、以下の説明では、本発明を適
用した電気光学モジュールが、電気光学パネルとして反射型の液晶パネルを有している場
合を中心に説明する。また、以下の説明で参照する図においては、各層や各部材を図面上
で認識可能な程度の大きさとするため、各層や各部材毎に縮尺を異ならしめてある。また
、以下の説明では、電気光学パネル４０の面内方向で互いに交差する方向をＸ方向および
Ｙ方向とし、電気光学パネル４０に対する法線方向をＺ方向とする。また、Ｚ方向におい
て、光出射側（表面側）を一方側Ｚ１とし、光出射側とは反対側（裏面側）を他方側Ｚ２
としてある。
【００２２】
［実施の形態１］
（電気光学パネル４０の構成）
図１は、本発明の実施の形態１に係る電気光学モジュール１００に用いた電気光学パネ
ル４０の説明図であり、図１（ａ）、（ｂ）は各々、電気光学パネル４０を各構成要素と
ともに第２基板（対向基板）の側から見た平面図、およびそのＨ−Ｈ′断面図である。な
お。図１（ａ）では防塵ガラス５７の図示を省略してある。
【００２３】
図１に示すように、電気光学パネル４０は、第１基板５１（素子基板）と第２基板５２
（対向基板）とが所定の隙間を介してシール材４０７によって貼り合わされている。第１
基板５１および第２基板５２は石英基板やガラス基板等の透光性基板である。本形態にお
いて、第１基板５１および第２基板５２には石英基板が用いられている。本形態において
、電気光学パネル４０は液晶パネルであり、第１基板５１と第２基板５２との間において
シール材４０７によって囲まれた領域内に電気光学層４５０としての液晶層が保持されて
いる。シール材４０７は、第２基板５２の外縁に沿うように枠状に設けられている。シー
ル材４０７は、光硬化性を備えた接着剤、熱硬化性の接着剤、あるいは光硬化性および熱
硬化性の双方を備えた接着剤であり、両基板間の距離を所定値とするためのグラスファイ
バー、あるいはガラスビーズ等のギャップ材が配合されている。
【００２４】
本形態において、第１基板５１は四角形であり、４つの辺の各々に端面５１１、５１２
、５１３、５１４を備えている。第２基板５２も、第１基板５１と同様、四角形であり、
４つの辺の各々に端面５２１、５２２、５２３、５２４を備えている。第１基板５１は第
２基板５２よりサイズが大きく、第１基板５１の４つの端面５１１、５１２、５１３、５
１４は各々、第２基板５２の端面５２１、５２２、５２３、５２４より外側に位置する。
このため、本形態の電気光学パネル４０の端面は、第１基板５１の端面５１１、５１２、
５１３、５１４によって構成されている。
【００２５】
電気光学パネル４０の略中央には、変調光を出射する表示領域４０ａが四角形の領域と
して設けられている。かかる形状に対応して、シール材４０７も略四角形に設けられてい
る。電気光学パネル４０では、表示領域４０ａの端部と電気光学パネル４０の端面（第１
基板５１の端面５１１、５１２、５１３、５１４）との間には、四角枠状の周辺領域４０
ｃが設けられている。
【００２６】
第１基板５１は、端面５１４が位置する側の端部（Ｙ軸方向の一方側Ｙ１の端部）が他
の端部より第２基板５２の端面５２４から大きく張り出しており、かかる張り出し部分５
１９には、端面５１４に沿ってデータ線駆動回路４０１および複数の端子４０２が形成さ
れている。また、第１基板５１には、端面５１１、５１２に沿って走査線駆動回路４０４
が形成されている。端子４０２には、フレキシブル配線基板４０ｉが接続されており、第
１基板５１には、フレキシブル配線基板４０ｉを介して各種電位や各種信号が入力される
。
【００２７】
第１基板５１の第１面５１ａおよび第２面５１ｂのうち、第２基板５２と対向する第１
面５１ａには、表示領域４０ａに、画素電極４０５ａおよび画素電極４０５ａに対応する
画素トランジスター（スイッチング素子／図示せず）がマトリクス状に形成されており、
かかる画素電極４０５ａの上層側には配向膜４１６が形成されている。また、第１基板５
１の第１面５１ａにおいて、周辺領域４０ｃのうち、シール材４０７より内側の領域には
、画素電極４０５ａと同時形成されたダミー画素電極４０５ｂが形成されている。
【００２８】
第２基板５２の第１面５２ａおよび第２面５２ｂのうち、第１基板５１と対向する第１
面５２ａには透光性の共通電極４２１が形成されており、共通電極４２１の上層には配向
膜４２６が形成されている。配向膜４１６、４２６は、ポリイミドや無機配向膜からなる
。本形態において、配向膜４１６、４２６は、例えば、ＳｉＯX（ｘ＜２）、ＳｉＯ2、Ｔ
ｉＯ2、ＭｇＯ、Ａｌ2Ｏ3、Ｉｎ2Ｏ3、Ｓｂ2Ｏ3、Ｔａ2Ｏ5等の斜方蒸着膜（無機配向膜
）からなり、電気光学層４５０に用いた誘電異方性が負のネマチック液晶化合物を傾斜垂
直配向させる。従って、電気光学パネル４０は、ノーマリブラックのＶＡモードとして動
作する。
【００２９】
共通電極４２１は、第２基板５２の略全面あるいは複数の帯状電極として複数の画素に
跨って形成されており、本形態において、共通電極４２１は、第２基板５２の略全面に形
成されている。第２基板５２の第１面５２ａには、共通電極４２１の下層側に遮光層４０
８が形成されている。遮光層４０８は、表示領域４０ａの外周縁に沿って延在する額縁状
に形成されており、かかる遮光層４０８の内縁によって表示領域４０ａが規定されている
。遮光層４０８の外周縁は、シール材４０７の内周縁との間に隙間を隔てた位置にあり、
遮光層４０８とシール材４０７とは被さっていない。第２基板５２において、隣り合う画
素電極４０５ａにより挟まれた領域と重なる領域等には、遮光層４０８と同時形成された
遮光層がブラックマトリクスあるいはブラックストライプとして形成されることもある。
【００３０】
第１基板５１には、シール材４０７より外側において第２基板５２の角部分と重なる領
域に、第１基板５１と第２基板５２との間で電気的導通を行うための基板間導通用電極４
０９が形成されている。基板間導通用電極４０９と第２基板５２との間には、導電粒子を
含んだ基板間導通材４０９ａが配置されており、第２基板５２の共通電極４２１は、基板
間導通材４０９ａおよび基板間導通用電極４０９を介して、第１基板５１側に電気的に接
続されている。このため、共通電極４２１は、第１基板５１の側から共通電位が印加され
ている。シール材４０７は、略同一の幅寸法をもって第２基板５２の外周縁に沿って設け
られている。但し、シール材４０７は、第２基板５２の角部分と重なる領域では基板間導
通用電極４０９を避けて内側を通るように設けられている。
【００３１】
（反射型液晶パネルとしての構成）
本形態において、電気光学パネル４０は、反射型液晶パネルである。このため、共通電
極４２１は、ＩＴＯ（Indium Tin Oxide）膜やＩＺＯ（Indium Zinc Oxide）膜等の透光
性導電膜により形成され、画素電極４０５ａは、アルミニウム膜等の反射性導電膜により
形成されている。かかる反射型液晶パネル（電気光学パネル４０）では、矢印Ｌ１１、Ｌ
１２で示すように、第２基板５２の側から入射した光が第１基板５１の側で反射して出射
される間に変調されて画像を表示する。このため、電気光学パネル４０では、第１基板５
１および第２基板５２のいずれにも、石英基板等の透光性基板を用いることができる一方
、第２基板５２に石英基板等の透光性基板を用い、第１基板５１にシリコン基板等の半導
体基板を用いることができる。本形態では、第１基板５１および第２基板５２のいずれに
も、石英基板が用いられている。
【００３２】
このように構成した電気光学パネル４０（反射型液晶パネル）では、第２基板５２の第
２面５２ｂに透光性の防塵ガラス５７の第１面５７ａが貼付される。従って、電気光学パ
ネル４０の第１面４０ｅ（一方面／表面）は、防塵ガラス５７の第２面５７ｂによって構
成され、電気光学パネル４０の第２面４０ｆ（他方面／裏面）は、第１基板５１の第２面
５１ｂによって構成される。また、表示領域４０ａは、電気光学パネル４０の一方面４０
ｅ側に位置する。
【００３３】
（電気光学モジュール１００の全体構成）
図２は、本発明の実施の形態１に係る電気光学モジュール１００の斜視図である。図３
は、本発明の実施の形態１に係る電気光学モジュール１００の分解斜視図である。図４は
、本発明の実施の形態１に係る電気光学モジュール１００の断面図である。
【００３４】
図２および図３に示すように、電気光学パネル４０は、補強等を目的に、ホルダー３に
支持された電気光学モジュール１００として電子機器に搭載される。従って、本形態の電
気光学モジュール１００は、電気光学パネル４０と、電気光学パネル４０と、電気光学パ
ネル４０が内側に保持されたホルダー３と、ホルダー３の光出射側に取り付けられた見切
り部材８とを有している。また、本形態の電気光学モジュール１００は、電気光学パネル
４０に対して光出射側（第１面側４０ｅ／表面側）とは反対側（第２面側４０ｆ／裏面側
）にヒートシンク７を有している。
【００３５】
ホルダー３は、電気光学パネル４０の周りを囲む枠部３１と、電気光学パネル４０の第
２面側４０ｆに重なる底板部３２とを有しており、枠部３１および底板部３２によって区
画された空間は、電気光学パネル４０が収容されるパネル収容部３０になっている。従っ
て、電気光学パネル４０をホルダー３の内側（パネル収容部３０）に収容した後、枠部３
１の内壁と電気光学パネル４０との間や、底板部３２の表面３２ａと電気光学パネル４０
との間に接着剤を塗布した後、硬化させれば、電気光学パネル４０をホルダー３に固定す
ることができる。本形態では、電気光学パネル４０が矩形であるため、枠部３１は矩形枠
状に形成され、底板部３２は矩形形状に形成されている。本形態において、ホルダー３は
、全体が一体となっている。なお、ホルダー３としては、枠部３１と底板部３２とが別体
で、枠部３１と底板部３２とを接着等の方法により結合した構造のものを採用することも
できる。
【００３６】
ホルダー３において、底板部３２には、電気光学パネル４０の第２面４０ｆを開放状態
とする開口部３５が形成されている。このため、電気光学パネル４０をホルダー３の内側
（パネル収容部３０）に固定した状態で、電気光学パネル４０の第２面４０ｆは、開口部
３５から露出した状態となる。本形態では、開口部３５は、矩形形状に形成されており、
平面視（電気光学パネル４０に対する法線方向（Ｚ方向）からみたとき）において、開口
部３５は、表示領域４０ａに重なっている。また、開口部３５の平面サイズは、表示領域
４０ａのサイズより大きい。なお、枠部３１のうち、フレキシブル配線基板４０ｉが設け
られている側には、基板引き出し口３９が形成されている。
【００３７】
ホルダー３は、第１基板５１と同等の熱膨張係数を有する金属製である。本形態におい
て、第１基板５１は、石英基板からなるため、ホルダー３は、少なくともニッケルおよび
鉄を含む合金からなる。例えば、ホルダー３は、いわゆるインバー合金（例えば、３６Ｎ
ｉ−Ｆｅ合金、４２Ｎｉ−Ｆｅ合金等）や、３２Ｎｉ−５Ｃｏ−Ｆｅ合金、２９Ｎｉ−１
７Ｃｏ−Ｆｅ合金等等からなる。これらの合金のうち、例えば、３６Ｎｉ−Ｆｅ合金の線
膨張係数は、約１．２×１０-6（／°Ｃ）であり、３２Ｎｉ−５Ｃｏ−Ｆｅ合金の線膨張
係数は、約０．１×１０-6（／°Ｃ）であり、第１基板５１（石英基板）の線膨張係数（
約０．４８×１０-6（／°Ｃ）と同等である。
【００３８】
見切り部材８は、ホルダー３の枠部３１に対して電気光学パネル４０とは反対側で重な
る遮光板部８１を有しており、遮光板部８１において、電気光学パネル４０の表示領域４
０ａと重なる領域には矩形の開口部８１０が形成されている。見切り部材８は、樹脂製あ
るいは金属製である。見切り部材８において、遮光板部８１は、表示領域４０ａに対する
見切りとして機能する。見切り部材８において、遮光板部８１の外周縁のうち、Ｘ方向の
両側に位置する縁からは、ホルダー３の枠部３１の外面３１０に重なる連結板部８５が延
在している。連結板部８５には係合穴８５０が形成されており、枠部３１の外面３１０に
は、係合穴８５０に係合する係合凸部３１５が形成されている。従って、見切り部材８は
、連結板部８５を介してホルダー３に取り付けられている。
【００３９】
（ヒートシンク７および熱伝導材料６の構成）
本形態の電気光学モジュール１００は、開口部３５の内側で電気光学パネル４０の第２
面４０ｆに対向するヒートシンク７を有している。ヒートシンク７は、ホルダー３の底板
部３２に対して電気光学パネル４０とは反対側で重なる板部７１と、板部７１から電気光
学パネル４０とは反対側に突出した板状の複数のフィン７５とを有しており、板部７１は
、ホルダー３側の表面７ａ（電気光学パネル４０側の面）が、ホルダー３の底板部３２の
裏面３２ｂに接着剤等によって固定されている。
【００４０】
ここで、ヒートシンク７は、平面視で表示領域４０ａより広い面積をもって板部７１か
ら開口部３５内に突出した凸部７２を有しており、凸部７２は、開口部３５の内側で電気
光学パネル４０の第２面４０ｆと対向している。本形態において、凸部７２は、矩形の平
面形状を有しており、凸部７２の平面サイズは、開口部３５の平面サイズよりわずかに小
さい。このため、凸部７２の外周面７２０と開口部３５の内周面３５０とは隙間Ｇ１を介
して対向し、かかる隙間Ｇ１は、電気光学パネル４０の第２面４０ｆとヒートシンク７の
凸部７２との間Ｇ０と連通している。
【００４１】
本形態において、ヒートシンク７は、アルミニウム等の熱伝導率の高い材料からなる。
例えば、ヒートシンク７は、アルミニウム製であり、その線膨張係数は、約２３．５×１
０-6（／°Ｃ）である。このため、ヒートシンク７、ホルダー３および第１基板５１の熱
膨張係数（線膨張係数）は、以下の関係
第１基板５１≒ホルダー３＜ヒートシンク７
にある。
【００４２】
（流動性の熱伝導材料６等の構成）
本形態の電気光学モジュール１００において、ホルダー３の開口部３５の内側では、電
気光学パネル４０とヒートシンク７の凸部７２との間Ｇ０は、流動性の熱伝導材料６によ
って埋められている。本形態において、熱伝導材料６は、例えば放熱グリスである。放熱
グリスとしては、例えば、シリコーンを主成分としている材料や、かかる材料に銀等の金
属粒子を混入したものを用いることができる。いずれの場合も、熱伝導材料６は、電気光
学モジュール１００を製造する際に電気光学パネル４０とヒートシンク７との間に挟まれ
た際に流動できる流動性を有していればよく、例えば、電気光学モジュール１００を製造
した後、ゲル状に固まる材料を用いてもよい。
【００４３】
また、ヒートシンク７およびホルダー３の少なくとも一方には、平面視で表示領域４０
ａと重なる領域より外側に電気光学パネル４０とヒートシンク７の凸部７２との間Ｇ０に
連通する凹部が形成されており、かかる凹部は、余剰な熱伝導材料６を逃がす逃げ部であ
る。
【００４４】
本形態では、ヒートシンク７およびホルダー３のうち、ヒートシンク７のホルダー３側
の表面７ａ（電気光学パネル４０側の面）には、平面視で表示領域４０ａと重なる領域よ
り外側に凹部７３が形成されている。本形態において、凹部７３は、平面視で凸部７２よ
り所定の寸法だけ外側の位置に形成されており、凹部７３は、凸部７２の外周面７２０と
開口部３５の内周面３５０との隙間Ｇ１を介して、電気光学パネル４０とヒートシンク７
の凸部７２との間Ｇ０に連通している。
【００４５】
ここで、凹部７３は、ヒートシンクの板部７１の表面７ａにおいて、平面視で開口部３
５の縁と重なる位置に溝状に形成されている。また、凹部７３は、開口部３５の縁に沿っ
て延在している。また、凹部７３は、開口部３５の内側で電気光学パネル４０の第２面４
０ｆとヒートシンク７とが対向している部分を全周にわたって矩形に囲んでいる。
【００４６】
（本形態の作用および主な効果）
以上説明したように、本形態の電気光学モジュール１００では、電気光学パネル４０と
ヒートシンク７との間が流動性の熱伝導材料６（放熱グリス）によって埋められている。
このため、電気光学パネル４０から熱伝導材料６を介してヒートシンク７に熱を効率よく
逃がすことができる。
【００４７】
かかる電気光学モジュール１００を製造するには、ヒートシンク７あるいは電気光学パ
ネル４０に流動性の熱伝導材料６を塗布した後、ヒートシンク７と電気光学パネル４０と
を重ねる。その際の熱伝導材料６の塗布量は、ヒートシンク７と電気光学パネル４０との
間Ｇ０を埋めるのに必要な量より多くする。このため、ヒートシンク７と電気光学パネル
４０との間には、熱伝導材料６が存在しない領域が発生しない。
【００４８】
また、熱伝導材料６をヒートシンク７と電気光学パネル４０とを埋めるのに必要な量よ
り多く塗布しても、過剰な熱伝導材料６は、電気光学パネル４０とヒートシンク７の凸部
７２との間Ｇ０から凸部７２の外周面７２０と開口部３５の内周面３５０との隙間Ｇ１を
介して凹部７３に流れ込む、このため、電気光学パネル４０とヒートシンク７の凸部７２
との間Ｇ０は、適正な量の熱伝導材料６で埋められるので、電気光学パネル４０に過大な
応力が加わって電気光学パネル４０が変形するという事態を回避することができる。
【００４９】
また、凹部７３は、表示領域４０ａと平面視で重なる領域の外側に設けられている。こ
のため、表示領域４０ａと重なる領域では、凹部７３の有無による熱伝導材料６の量のば
らつきが発生してないため、熱伝導材料６の量のばらつきに起因する放熱性のばらつきが
発生しにくい。
【００５０】
また、凹部７３は、開口部３５の縁に沿って延在している。このため、電気光学パネル
４０とヒートシンク７との間Ｇ０から比較的近い位置に凹部７３が存在するので、熱伝導
材料６の粘度が高くても、過剰な熱伝導材料６が凹部７３にスムーズに流れ込む。また、
凹部７３は、開口部３５の内側で電気光学パネル４０とヒートシンク７とが対向している
部分を全周にわたって囲んでいる。このため、熱伝導材料６の粘度が高くても、電気光学
パネル４０とヒートシンク７との間Ｇ０のいずれの位置からも、過剰な熱伝導材料６が凹
部７３にスムーズに流れ込む。
【００５１】
また、ヒートシンク７は、平面視で表示領域４０ａをより広い面積をもって開口部３５
内に突出して電気光学パネル４０の第２面４０ｆと対向する凸部７２を備えている。この
ため、ヒートシンク７と電気光学パネル４０とを接近させることができるので、電気光学
パネル４０からヒートシンク７に熱を効率よく逃がすことができる。この場合でも、凹部
７３は、平面視で凸部７２より外側に設けられている。このため、凸部７２と電気光学パ
ネル４０との間では、凹部７３の有無に起因して熱伝導材料６の量が相違する個所が発生
しない。
【００５２】
［実施の形態２］
図５は、本発明の実施の形態２に係る電気光学モジュール１００の断面図である。図６
は、本発明の実施の形態２に係る電気光学モジュール１００に設けた凹部３３（熱伝導材
料６の逃げ部）等の説明図であり、図６（ａ）、（ｂ）は、ホルダー３を光出射側とは反
対側からみた斜視図、およびヒートシンク７を光出射側からみた斜視図である。なお、本
形態の基本的な構成は、実施の形態１と同様であるため、共通する部分には同一の符号を
付してそれらの説明を省略する。
【００５３】
図５および図６に示すように、本形態の電気光学モジュール１００でも、実施の形態１
と同様、電気光学パネル４０の第２面４０ｆに対向するアルミニウム製のヒートシンク７
を有している。また、ヒートシンク７は、平面視で表示領域４０ａより広い面積をもって
板部７１から開口部３５内に突出した凸部７２を有しており、凸部７２が電気光学パネル
４０の第２面４０ｆと対向している。また、ホルダー３の開口部３５の内側では、電気光
学パネル４０とヒートシンク７の凸部７２との間Ｇ０は、放熱グリスからなる流動性の熱
伝導材料６によって埋められている。また、本形態でも、ヒートシンク７およびホルダー
３の少なくとも一方には、平面視で表示領域４０ａと重なる領域より外側に電気光学パネ
ル４０とヒートシンク７の凸部７２との間Ｇ０に連通する凹部（余剰な熱伝導材料６の逃
げ部）が形成されている。
【００５４】
本形態では、ヒートシンク７およびホルダー３のうち、ホルダー３の裏面５ｂ（ヒート
シンク７側の面）には、平面視で表示領域４０ａと重なる領域より外側に凹部３３が形成
されている。本形態において、凹部３３は、平面視で凸部７２より所定の寸法だけ外側の
位置に形成されており、凹部３３は、凸部７２の外周面７２０と開口部３５の内周面３５
０との隙間Ｇ１を介して、電気光学パネル４０とヒートシンク７の凸部７２との間Ｇ０に
連通している。
【００５５】
ここで、凹部３３は、ホルダー３において、ヒートシンク７側の面（裏面３２ｂ）と開
口部３５の内周面３５０との間に切り欠き状に形成されている。具体的には、凹部３３は
、ヒートシンク７側の面（裏面３２ｂ）と開口部３５の内周面３５０とが連接する角部を
段状に切り欠いた形状になっている。また、凹部３３は、開口部３５の縁に沿って延在し
ており、凹部３３は、開口部３５の内側で電気光学パネル４０の第２面４０ｆとヒートシ
ンク７とが対向している部分を全周にわたって矩形に囲んでいる。
【００５６】
このように構成した場合も、実施の形態１と同様、熱伝導材料６をヒートシンク７と電
気光学パネル４０とを埋めるのに必要な量より多く塗布しても、過剰な熱伝導材料６は、
電気光学パネル４０とヒートシンク７の凸部７２との間Ｇ０から凸部７２の外周面７２０
と開口部３５の内周面３５０との隙間Ｇ１を介して凹部３３に流れ込む、このため、電気
光学パネル４０とヒートシンク７の凸部７２との間Ｇ０は、適正な量の熱伝導材料６で埋
められるので、電気光学パネル４０に過大な応力が加わって電気光学パネル４０が変形す
るという事態を回避することができる等、実施の形態１と同様な効果を奏する。
【００５７】
なお、本形態では、ホルダー３の裏面３２ｂと開口部３５の内周面３５０とが連接する
角部を段状に切り欠いて凹部３３を形成したが、ホルダーの裏面３２ｂと開口部３５の内
周面３５０とが連接する角部を斜めに切り欠いて凹部３３を形成してもよい。また、ホル
ダー３に凹部３３を形成するとともに、実施の形態１で説明した凹部７３をヒートシンク
７に形成してもよい。
【００５８】
［電気光学モジュールの他の形態］
上記実施の形態では、電気光学パネル４０として反射型液晶パネルを例に挙げて説明し
たが、本発明はこれに限定されず、有機エレクトロルミネッセンス表示用パネル、プラズ
マディスプレイパネル、ＦＥＤ（Field Emission Display）パネル、ＳＥＤ（Surface-Co
nduction Electron-Emitter Display）パネル、ＬＥＤ（発光ダイオード）表示パネル、
電気泳動表示パネル等を用いた電気光学モジュールに本発明を適用してもよい。
【００５９】
［電子機器への搭載例］
（投射型表示装置の構成例）
図７は、本発明を適用した投射型表示装置（電子機器）の一例の概略構成図である。以
下の説明では、上記実施の形態に係る電気光学モジュール１００を３つ用い、３つの電気
光学モジュール１００の電気光学パネル４０を各々、赤色用液晶パネル１００Ｒ、緑色用
液晶パネル１００Ｇおよび青色用液晶パネル１００Ｂとして用いる。
【００６０】
図７に示す投射型表示装置１０００は、光源光を発生する光源部１０２１と、光源部１
０２１から出射された光源光を赤色光Ｒ、緑色光Ｇ、および青色光Ｂの３色の色光に分離
する色分離導光光学系１０２３と、色分離導光光学系１０２３から出射された各色の光源
光によって照明される光変調部１０２５とを有している。また、投射型表示装置１０００
は、光変調部１０２５から出射された各色の像光を合成するクロスダイクロイックプリズ
ム１０２７（合成光学系）と、クロスダイクロイックプリズム１０２７を経た像光をスク
リーン（不図示）に投射する投射光学系１０２９とを備えている。本形態において、光変
調部１０２５を構成する複数の電気光学モジュール１００（反射型液晶装置）、およびク
ロスダイクロイックプリズム１０２７（光合成光学系）は、光学ユニット１２００を構成
している。
【００６１】
かかる投射型表示装置１０００において、光源部１０２１は、光源１０２１ａと、一対
のフライアイ光学系１０２１ｄ、１０２１ｅと、偏光変換部材１０２１ｇと、重畳レンズ
１０２１ｉとを備えている。本形態においては、光源部１０２１は、放物面からなるリフ
レクタ１０２１ｆを備えており、平行光を出射する。フライアイ光学系１０２１ｄ、１０
２１ｅは、システム光軸と直交する面内にマトリクス状に配置された複数の要素レンズか
らなり、これらの要素レンズによって光源光を分割して個別に集光・発散させる。偏光変
換部材１０２１ｇは、フライアイ光学系１０２１ｅから出射した光源光を、例えば図面に
平行なｐ偏光成分のみに変換して光路下流側光学系に供給する。重畳レンズ１０２１ｉは
、偏光変換部材１０２１ｇを経た光源光を全体として適宜収束させることにより、光変調
部１０２５に設けた複数の電気光学モジュール１００を各々均一に重畳照明可能とする。
【００６２】
色分離導光光学系１０２３は、クロスダイクロイックミラー１０２３ａと、ダイクロイ
ックミラー１０２３ｂと、反射ミラー１０２３ｊ、１０２３ｋとを備える。色分離導光光
学系１０２３において、光源部１０２１からの略白色の光源光は、クロスダイクロイック
ミラー１０２３ａに入射する。クロスダイクロイックミラー１０２３ａを構成する一方の
第１ダイクロイックミラー１０３１ａで反射された赤色光Ｒは、反射ミラー１０２３ｊで
反射されダイクロイックミラー１０２３ｂを透過して、入射側偏光板１０３７ｒ、ｐ偏光
を透過させる一方、ｓ偏光を反射するワイヤーグリッド偏光板１０３２ｒ、および光学補
償板１０３９ｒを介して、ｐ偏光のまま、電気光学モジュール１００（赤色用液晶パネル
１００Ｒ）に入射する。
【００６３】
また、第１ダイクロイックミラー１０３１ａで反射された緑色光Ｇは、反射ミラー１０
２３ｊで反射され、その後、ダイクロイックミラー１０２３ｂでも反射されて、入射側偏
光板１０３７ｇ、ｐ偏光を透過させる一方、ｓ偏光を反射するワイヤーグリッド偏光板１
０３２ｇ、および光学補償板１０３９ｇを介して、ｐ偏光のまま、電気光学モジュール１
００（緑色用液晶パネル１００Ｇ）に入射する。
【００６４】
これに対して、クロスダイクロイックミラー１０２３ａを構成する他方の第２ダイクロ
イックミラー１０３１ｂで反射された青色光Ｂは、反射ミラー１０２３ｋで反射されて、
入射側偏光板１０３７ｂ、ｐ偏光を透過する一方、ｓ偏光を反射するワイヤーグリッド偏
光板１０３２ｂ、および光学補償板１０３９ｂを介して、ｐ偏光のまま、電気光学モジュ
ール１００（青色用液晶パネル１００Ｂ）に入射する。なお、光学補償板１０３９ｒ、１
０３９ｇ、１０３９ｂは、電気光学モジュール１００への入射光および出射光の偏光状態
を調整することで、液晶層の特性を光学的に補償している。
【００６５】
このように構成した投射型表示装置１０００では、光学補償板１０３９ｒ、１０３９ｇ
、１０３９ｂを経て入射した３色の光は各々、各電気光学モジュール１００において変調
される。その際、電気光学モジュール１００から出射された変調光のうち、ｓ偏光の成分
光は、ワイヤーグリッド偏光板１０３２ｒ、１０３２ｇ、１０３２ｂで反射し、出射側偏
光板１０３８ｒ、１０３８ｇ、１０３８ｂを介してクロスダイクロイックプリズム１０２
７に入射する。クロスダイクロイックプリズム１０２７には、Ｘ字状に交差する第１誘電
体多層膜１０２７ａおよび第２誘電体多層膜１０２７ｂが形成されており、一方の第１誘
電体多層膜１０２７ａは赤色光Ｒを反射し、他方の第２誘電体多層膜１０２７ｂは青色光
Ｂを反射する。従って、３色の光は、クロスダイクロイックプリズム１０２７において合
成され、投射光学系１０２９に出射される。そして、投射光学系１０２９は、クロスダイ
クロイックプリズム１０２７で合成されたカラーの像光を、所望の倍率でスクリーン（図
示せず。）に投射する。
【００６６】
（他の投射型表示装置）
なお、投射型表示装置については、光源部として、各色の光を出射するＬＥＤ光源等を
用い、かかるＬＥＤ光源から出射された色光を各々、別の電気光学装置（液晶装置）に供
給するように構成してもよい。
【００６７】
（他の電子機器）
本発明を適用した電気光学モジュール１００については、上記の電子機器の他にも、携
帯電話機、情報携帯端末（ＰＤＡ：Personal Digital Assistants）、デジタルカメラ、
液晶テレビ、カーナビゲーション装置、テレビ電話、ＰＯＳ端末、タッチパネルを備えた
機器等の電子機器において直視型表示装置として用いてもよい。
【符号の説明】
【００６８】
３・・ホルダー、６・・熱伝導材料、７・・ヒートシンク、８・・見切り部材、３０・・
パネル収容部、３１・・枠部、３２・・底板部、３３・・凹部（熱伝導材料の逃げ部）、
３５・・開口部、４０・・電気光学パネル、４０ａ・・表示領域、４０ｅ・・電気光学パ
ネルの第１面（一方面）、４０ｆ・・電気光学パネルの第２面（他方面）、５１・・第１
基板、５２・・第２基板、５７・・防塵ガラス、７１・・板部、７２・・凸部、７３・・
凹部（熱伝導材料の逃げ部）、７５・・フィン、４２１・・共通電極、４５０・・電気光
学層、１００・・電気光学モジュール、１０００・・投射型表示装置、１０２１・・光源
部、１０２９・・投射光学系、Ｇ０・・電気光学パネルとヒートシンクとの間
【図１】
2015197574.tif 000003
【図２】
2015197574.tif 000004
【図３】
2015197574.tif 000005
【図４】
2015197574.tif 000006
【図５】
2015197574.tif 000007
【図６】
2015197574.tif 000008
【図７】
2015197574.tif 000009